(57)【要約】      （修正有）【課題】画像形成装置管理者の負担を軽減する画像形成装置、及びシステムを提供する。【解決手段】画像形成装置は、避難所に配置され、第１判定部１５１、及び遷移部１５２を備える。第１判定部１５１は、「特定機能」を使用できない状態から「特定機能」を使用できる状態に遷移するか否かを判定する。遷移部１５２は、第１判定部１５１の判定結果に応じて、ユーザーが使用権限の制約を受けることなく特定機能を使用できる状態に遷移する。「特定機能」は、避難者情報を処理する避難者機能と、支援物資情報を処理する物資機能と、避難者情報及び支援物資情報を検索する検索機能とのうち、少なくとも１つの機能を含む。【選択図】図３
2018170582.tif 000002
【特許請求の範囲】
【請求項１】
避難所に配置される画像形成装置であって、
特定機能を使用できない状態から前記特定機能を使用できる状態に遷移するか否かを判定する第１判定部と、
前記第１判定部の判定結果に応じて、ユーザーが使用権限の制約を受けることなく前記特定機能を使用できる状態に遷移する遷移部と
を備え、
前記特定機能は、避難者情報を処理する避難者機能と、支援物資情報を処理する物資機能と、前記避難者情報及び前記支援物資情報を検索する検索機能とのうち、少なくとも１つの機能を含む、画像形成装置。
【請求項２】
前記避難所へ入所する入所者の携帯端末装置に記憶された個人情報を取得する取得部と、
前記取得部が取得した前記個人情報を、前記避難所に避難している避難者の個人情報として登録する登録部と
を更に備える、請求項１に記載の画像形成装置。
【請求項３】
前記避難者の個人情報から、前記避難所から退所する退所者の個人情報を削除する削除部を更に備え、
前記取得部は、前記退所者の前記携帯端末装置に記憶された前記個人情報を取得し、
前記削除部は、前記取得部が取得した前記個人情報を、前記避難者の個人情報から削除する、請求項２に記載の画像形成装置。
【請求項４】
表示部と、
前記避難者の個人情報を検索する検索部と、
前記検索部の検索結果を前記表示部に表示する表示制御部と
を更に備える、請求項２又は請求項３に記載の画像形成装置。
【請求項５】
前記避難所に物資を受け入れる場合に、前記物資の名称を示す名称情報と、前記物資の個数を示す個数情報とを物資情報として読み取る読取部を更に備え、
前記登録部は、前記読取部が読み取った前記物資情報を、前記避難所が保管している物資の物資情報として登録する、請求項２から請求項４のいずれか１項に記載の画像形成装置。
【請求項６】
前記名称情報が登録されているか否かを判定する第２判定部を更に備え
前記第２判定部の判定結果に応じて、前記登録部は、前記名称情報に対応するカテゴリー情報を、前記名称情報と対応付けて登録し、
前記カテゴリー情報は、前記物資の種類を示す、請求項５に記載の画像形成装置。
【請求項７】
前記物資の種類又は名称毎に、前記物資の個数を集計する集計部と、
前記集計部の集計結果を示すリストを生成する生成部と、
前記リストを示す画像を記録媒体に形成する形成部と
を更に備える、請求項５又は請求項６に記載の画像形成装置。
【請求項８】
表示部と、
前記避難所が保管している物資の前記名称情報及び前記個数情報を含む物資情報を検索する検索部と、
前記検索部の検索結果を前記表示部に表示する表示制御部と
を更に備える、請求項５から請求項７のいずれか１項に記載の画像形成装置。
【請求項９】
避難所毎に配置される複数の画像形成装置と、前記複数の画像形成装置と通信可能に接続されたサーバー装置とを備える画像形成システムであって、
前記複数の画像形成装置は、それぞれ、
特定機能を使用できない状態から前記特定機能を使用できる状態に遷移するか否かを判定する第１判定部と、
前記第１判定部の判定結果に応じて、ユーザーが使用権限の制約を受けることなく前記特定機能を使用できる状態に遷移する遷移部と
を備え、
前記特定機能は、避難者情報を処理する避難者機能と、支援物資情報を処理する物資機能と、前記避難者情報及び前記支援物資情報を検索する検索機能とのうち、少なくとも１つの機能を含む、画像形成システム。
【発明の詳細な説明】
【技術分野】
【０００１】
本発明は、画像形成装置、及び画像形成システムに関する。
【背景技術】
【０００２】
特許文献１に記載の画像形成装置は、登録フォーム生成部、画像形成部、及び記入情報データベースを備える。登録フォーム生成部は、情報登録用フォームのテンプレートを選択し、テンプレートに登録項目の情報を埋め込んで情報登録用フォームを生成する。情報登録用フォームは、災害に関する情報を登録するための項目を一覧形式で表現したフォームを示す。画像形成部は、登録フォーム生成部が生成した情報登録用フォームを印刷する。記入情報データベースは、災害に関する登録された情報を保持する。登録フォーム生成部は、記入情報データベースに保持されている登録済み情報を情報登録用フォームに反映する。
【先行技術文献】
【特許文献】
【０００３】
【特許文献１】特開２００８−９２２４６号公報
【発明の概要】
【発明が解決しようとする課題】
【０００４】
しかしながら、特許文献１に記載の画像形成装置では、画像形成装置の管理者は、情報登録用フォームに記入された情報を画像形成装置に読込む作業を行う必要がある。そのため、画像形成装置の管理者の負担が大きい可能性がある。
【０００５】
本発明は、上記課題に鑑みてなされたものであり、画像形成装置の管理者の負担を軽減可能な画像形成装置、及び画像形成システムを提供することを目的としている。
【課題を解決するための手段】
【０００６】
本発明の画像形成装置は、避難所に配置される画像形成装置であって、第１判定部、及び遷移部を備える。前記第１判定部は、特定機能を使用できない状態から前記特定機能を使用できる状態に遷移するか否かを判定する。前記遷移部は、前記第１判定部の判定結果に応じて、ユーザーが使用権限の制約を受けることなく前記特定機能を使用できる状態に遷移する。前記特定機能は、避難者情報を処理する避難者機能、支援物資情報を処理する物資機能、及び、前記避難者情報及び前記支援物資情報を検索する検索機能のうち、少なくとも１つの機能を含む。
【０００７】
本発明の画像形成システムは、避難所毎に配置される複数の画像形成装置と、前記複数の画像形成装置と通信可能に接続されたサーバー装置とを備える。前記複数の画像形成装置は、それぞれ、第１判定部、及び遷移部を備える。前記第１判定部は、特定機能を使用できない状態から前記特定機能を使用できる状態に遷移するか否かを判定する。前記遷移部は、前記第１判定部の判定結果に応じて、ユーザーが使用権限の制約を受けることなく前記特定機能を使用できる状態に遷移する。前記特定機能は、避難者情報を処理する避難者機能と、支援物資情報を処理する物資機能と、前記避難者情報及び前記支援物資情報を検索する検索機能とのうち、少なくとも１つの機能を含む。
【発明の効果】
【０００８】
本発明の画像形成装置、及び画像形成システムによれば、画像形成装置の管理者の負担を軽減できる。
【図面の簡単な説明】
【０００９】
【図１】本発明の実施形態に係る画像形成システムの構成の一例を示す図である。
【図２】本発明の実施形態に係る画像形成装置の構成の一例を示す図である。
【図３】本発明の実施形態に係る制御部の構成の一例を示す図である。
【図４】（ａ）は、災害モード又は通常モードを選択する選択画面の一例を示す画面図である。（ｂ）は、災害モードへ遷移するための認証画面の一例を示す画面図である。
【図５】個人情報の一例を示す図である。
【図６】物資情報の一例を示す図である。
【図７】制御部の処理を示すフローチャートである。
【図８】制御部の避難者処理を示すフローチャートである。
【図９】制御部の物資処理を示すフローチャートである。
【図１０】制御部の検索処理を示すフローチャートである。
【図１１】制御部の検索処理を示すフローチャートである。
【発明を実施するための形態】
【００１０】
以下、本発明の実施形態について、図面（図１〜図１１）を参照しながら説明する。なお、図中、同一又は相当部分については同一の参照符号を付して説明を繰り返さない。
【００１１】
まず、図１を参照して、画像形成システム１００の構成について説明する。図１は、本発明の実施形態に係る画像形成システム１００の構成の一例を示す図である。図１に示すように、画像形成システム１００は、複数の画像形成装置１、及びサーバー装置３を備える。複数の画像形成装置１は、それぞれ、複数のスマートフォン４と通信可能に接続される。
【００１２】
複数の画像形成装置１は、災害が発生した場合に、それぞれ、避難所に配置される。複数の画像形成装置１は、インターネット２を介して、それぞれ、サーバー装置３と通信可能に接続される。
【００１３】
サーバー装置３は、１つの画像形成装置１からの要求に応じて、他の画像形成装置１に対して、種々の問合せを行う。サーバー装置３は、他の画像形成装置１からの回答を受け付けた場合に、１つの画像形成装置１に対して回答を伝送する。
【００１４】
複数のスマートフォン４は、それぞれ、個人情報を記憶する。複数のスマートフォン４は、それぞれ、画像形成装置１に個人情報を伝送する。スマートフォン４は、「携帯端末装置」の一例に相当する。
【００１５】
次に、図２を参照して、複数の画像形成装置１の構成について説明する。複数の画像形成装置１は、互いに略同一の構成を有する。図２は、本発明の実施形態に係る画像形成装置１の構成の一例を示す図である。図２に示すように、画像形成装置１は複合機である。画像形成装置１は、画像形成ユニット１１、画像読取ユニット１２、原稿搬送ユニット１３、操作表示部１４、及び制御部１５を備える。
【００１６】
画像形成ユニット１１は、記録媒体の一例である用紙Ｐに画像を形成する。画像読取ユニット１２は、原稿Ｒに形成された画像を読み取る。原稿搬送ユニット１３は、原稿Ｒを画像読取ユニット１２に供給する。操作表示部１４は、ユーザーの操作を受け付ける。制御部１５は、画像形成装置１の動作を制御する。
【００１７】
また、画像形成ユニット１１は、給送カセット１１１及び画像形成部１１３を備える。給送カセット１１１から繰り出された用紙Ｐは、画像形成部１１３まで搬送される。画像形成部１１３は、用紙Ｐに画像を形成する。画像が形成された用紙Ｐは、用紙Ｐに形成された画像が用紙Ｐに定着された後、排出される。画像形成部１１３は、「形成部」の一部に相当する。
【００１８】
操作表示部１４は、タッチパネル１４１を備える。タッチパネル１４１は、例えば、ＬＣＤ（Ｌｉｑｕｉｄ  Ｃｒｙｓｔａｌ  Ｄｉｓｐｌａｙ）を備え、種々の画像を表示する。タッチパネル１４１は、タッチセンサーを更に備え、ユーザーの操作を受け付ける。タッチパネル１４１は、「表示部」の一例に相当する。
【００１９】
制御部１５は、プロセッサー１５Ａ、及び記憶部１５Ｂを備える。プロセッサー１５Ａは、例えばＣＰＵ（Ｃｅｎｔｒａｌ  Ｐｒｏｃｅｓｓｉｎｇ  Ｕｎｉｔ）を備える。記憶部１５Ｂは、半導体メモリーのようなメモリーを備え、ＨＤＤ（Ｈａｒｄ  Ｄｉｓｋ  Ｄｒｉｖｅ）を備えてもよい。記憶部１５Ｂは、制御プログラムを記憶している。
【００２０】
次に、図１〜図３を参照して、本発明の実施形態に係る制御部１５の構成について説明する。図３は、本発明の実施形態に係る制御部１５の構成の一例を示す図である。図３に示すように、制御部１５は、第１判定部１５１、遷移部１５２、取得部１５３、登録部１５４、削除部１５５、検索部１５６、表示制御部１５７、読取部１５８、第２判定部１５９、集計部１６０、生成部１６１、及び指示部１６２を備える。具体的には、プロセッサー１５Ａが制御プログラムを実行することによって、第１判定部１５１、遷移部１５２、取得部１５３、登録部１５４、削除部１５５、検索部１５６、表示制御部１５７、読取部１５８、第２判定部１５９、集計部１６０、生成部１６１、及び指示部１６２として機能する。
【００２１】
第１判定部１５１は、ユーザーからのタッチパネル１４１による操作に基づいて、「通常モード」から「災害モード」に遷移するか否かを判定する。「通常モード」は、「特定機能」を使用できない状態を示す。また、「通常モード」では、画像形成装置１の使用権限を有するユーザーだけが画像形成装置１を使用できる。ユーザーは、画像形成装置１を使用する際にユーザー認証を行う必要がある。「災害モード」は、ユーザーが使用権限の制約を受けることなく「特定機能」を使用できる状態を示す。「災害モード」では、ユーザーは、「特定機能」を使用する際にユーザー認証を行う必要はない。
【００２２】
「特定機能」は、避難者機能、物資機能、及び検索機能を含む。避難者機能は、避難者情報を処理する機能を示す。物資機能は、支援物資情報を処理する機能を示す。検索機能は、避難者情報、及び支援物資情報を検索する機能を示す。
【００２３】
遷移部１５２は、第１判定部１５１の判定結果に応じて、「通常モード」から「災害モード」に遷移する。具体的には、「通常モード」から「災害モード」に遷移すると第１判定部１５１が判定した場合に、遷移部１５２は、「通常モード」から「災害モード」に遷移する。
【００２４】
取得部１５３は、入所者のスマートフォン４に記憶された個人情報を取得する。入所者は、避難所へ入所する人を示す。
【００２５】
登録部１５４は、取得部１５３が取得した個人情報を、避難所に避難している避難者の個人情報として登録する。
【００２６】
削除部１５５は、取得部１５３が取得した個人情報を、避難者の個人情報から削除する。
【００２７】
検索部１５６は、ユーザーからのタッチパネル１４１による操作に基づいて、避難者の個人情報を検索する。
【００２８】
表示制御部１５７は、検索部１５６の検索結果をタッチパネル１４１に表示する。
【００２９】
読取部１５８は、避難所に支援物資を受け入れる場合に、画像読取ユニット１２を介して、名称情報と個数情報とを物資情報として読み取る。「支援物資」を、以下の説明において、「物資」と記載する場合がある。名称情報は、物資の名称を示す。個数情報は、物資の個数を示す。
【００３０】
第２判定部１５９は、読取部１５８が読み取った名称情報が登録されているか否かを判定する。
【００３１】
集計部１６０は、物資の名称毎に、物資の個数を集計する。
【００３２】
生成部１６１は、集計部１６０の集計結果を示すリストを生成する。
【００３３】
指示部１６２は、画像形成ユニット１１に対して、リストを示す画像を用紙Ｐに形成するよう指示する。指示部１６２は、「形成部」の一部に相当する。
【００３４】
以上、図１〜図３を参照して説明したように、本実施形態では、「災害モード」に遷移する。「災害モード」では、ユーザーが使用権限の制約を受けることなく「特定機能」を使用できる。
【００３５】
よって、ユーザーが使用権限の制約を受けることなく避難者情報を処理できる。また、ユーザーが使用権限の制約を受けることなく支援物資情報を処理できる。更に、ユーザーが使用権限の制約を受けることなく避難者情報及び支援物資情報を検索できる。したがって、画像形成装置１の管理者の負担を軽減できる。
【００３６】
次に、図１〜図４（ｂ）を参照して、制御部１５について更に説明する。図４（ａ）は、災害モード又は通常モードを選択する選択画面５００の一例を示す画面図である。図４（ｂ）は、災害モードへ遷移するための認証画面５１０の一例を示す画面図である。選択画面５００及び認証画面５１０は、第１判定部１５１によってタッチパネル１４１に表示される。
【００３７】
図４（ａ）に示すように、選択画面５００には、通常モードボタン５０１と、災害モードボタン５０２とが表示される。通常モードボタン５０１は、「通常モード」で画像形成装置１を使用する場合にユーザーによってタッチされる。災害モードボタン５０２は、「災害モード」で画像形成装置１を使用する場合にユーザーによってタッチされる。災害モードボタン５０２がタッチされた場合には、第１判定部１５１はタッチパネル１４１に認証画面５１０を表示する。
【００３８】
図４（ｂ）に示すように、認証画面５１０には、メッセージ表示部５１１、ＩＤ入力欄５１２、及びＰＷ入力欄５１３が表示される。メッセージ表示部５１１には、「管理者のＩＤ、ＰＷを入力して下さい。」とのメッセージが表示される。ＩＤ入力欄５１２には、画像形成装置１の管理者のユーザーＩＤ（Ｉｄｅｎｔｉｆｉｃａｔｉｏｎ）が入力される。ＰＷ入力欄５１３には、画像形成装置１の管理者のパスワードが入力される。
【００３９】
ＩＤ入力欄５１２に入力されたユーザーＩＤが、登録されている管理者のユーザーＩＤと一致し、ＰＷ入力欄５１３に入力されたパスワードが、登録されている管理者のパスワードと一致した場合には、遷移部１５２は、「災害モード」に遷移する。具体的には、遷移部１５２は、ユーザーが使用権限の制約を受けることなく「特定機能」を使用できる状態に遷移する。その結果、任意のユーザーが、画像形成装置１において「特定機能」を使用できる。
【００４０】
以上、図１〜図４（ｂ）を参照して説明したように、管理者が、タッチパネル１４１を介して「通常モード」から「災害モード」へ遷移する旨を指示した場合に、遷移部１５２は、「通常モード」から「災害モード」に遷移する。「通常モード」から「災害モード」に遷移するには、管理者が指示する必要がある。したがって、「通常モード」から「災害モード」に遷移するか否かを的確に判定できる。
【００４１】
次に、図１〜図３、及び図５を参照して、制御部１５について更に説明する。図５は、個人情報６００の一例を示す図である。図５に示すように、個人情報６００は、氏名情報６０１、年齢情報６０２、性別情報６０３、家族構成情報６０４、住所情報６０５、疾病情報６０６、薬情報６０７、及びアレルギー情報６０８を含む。
【００４２】
氏名情報６０１は、個人の氏名を示す。年齢情報６０２は、個人の年齢を示す。性別情報６０３は、個人の性別を示す。家族構成情報６０４は、個人の家族構成を示す。具体的には、家族構成は、個人の家族の各人について、個人本人との関係、氏名及び年齢を示す。住所情報６０５は、個人の住所を示す。
【００４３】
疾病情報６０６は、個人の治療中の疾病の名称を示す。また、疾病情報６０６は、個人が過去に罹患した病気の名称を含んでもよい。薬情報６０７は、個人が服用中の薬の名称を示す。アレルギー情報６０８は、個人のアレルギーの有無及びアレルギーの種類を示す。
【００４４】
本実施形態では、ユーザーは、スマートフォン４に個人情報６００を予め記憶しておく。また、ユーザーは、個人情報６００を示す２次元コード（例えば、ＱＲコード（登録商標））を生成し、スマートフォン４に予め記憶しておく。
【００４５】
取得部１５３は、画像読取ユニット１２を介して、入所者、又は退所者の個人情報６００を示す２次元コードを読み取る。入所者は、被難所へ避難する者を示す。退所者は、被難所から退所する者を示す。そして、取得部１５３は、読み取った２次元コードから個人情報６００を生成して、個人情報６００を取得する。
【００４６】
登録部１５４は、取得部１５３が取得した個人情報６００を、避難所に避難している避難者の個人情報として登録する。具体的には、登録部１５４は、個人情報６００を、避難者の個人情報として記憶部１５Ｂに記憶する。
【００４７】
削除部１５５は、取得部１５３が取得した個人情報６００を、避難者の個人情報から削除する。具体的には、削除部１５５は、記憶部１５Ｂに記憶している避難者の個人情報から個人情報６００を消去する。
【００４８】
以上、図１〜図３、及び図５を参照して説明したように、本実施形態では、取得部１５３が、入所者のスマートフォン４に記憶された個人情報６００を取得する。そして、登録部１５４が、取得部１５３が取得した個人情報６００を、避難所に避難している避難者の個人情報として登録する。よって、避難者の個人情報を、フォームから読込む場合と比較して、短時間で登録できる。
【００４９】
また、取得部１５３は、退所者のスマートフォン４に記憶された個人情報６００を取得する。そして、削除部１５５は、取得部１５３が取得した個人情報６００を、避難者の個人情報から削除する。よって、避難者の個人情報から退所者の個人情報を容易に且つ正確に削除できる。
【００５０】
次に、図１〜図３、及び図６を参照して、制御部１５について更に説明する。図６は、物資情報７００の一例を示す図である。図６に示すように、物資情報７００は、第１カテゴリー情報７０１、第２カテゴリー情報７０２、名称情報７０３、及び個数情報７０４を含む。物資情報７００は、物資リストに対応する。物資情報７００は、記憶部１５Ｂに記憶される。
【００５１】
第１カテゴリー情報７０１及び第２カテゴリー情報７０２は、物資の種類を示す。具体的には、第１カテゴリー情報７０１は、物資の大分類を示す。第２カテゴリー情報７０２は、物資の中分類を示す。例えば、名称情報７０３が「菓子パン」である場合には、第１カテゴリー情報７０１は、「食品」を示し、第２カテゴリー情報７０２は、「パン」を示す。第１カテゴリー情報７０１が「食品」を示す物資には、パン、レトルト食品、及び缶詰が含まれる。第２カテゴリー情報７０２が「パン」を示す物資には、菓子パン、食パン、及びサンドイッチが含まれる。第１カテゴリー情報７０１及び第２カテゴリー情報７０２は、「カテゴリー情報」の一例に相当する。
【００５２】
名称情報７０３は、物資の名称を示す。名称は、いわゆる、普通名称を示す。個数情報７０４は、名称情報７０３に対応する個数を示す。例えば、名称情報７０３が「菓子パン」を示す物資の個数は１００個である。すなわち、避難所に、菓子パンが１００個保管されていることを示す。また、例えば、名称情報７０３が「紙オムツ（Ｓサイズ）」を示す物資の個数は３００個である。すなわち、避難所に、Ｓサイズの紙オムツが３００個保管されていることを示す。
【００５３】
読取部１５８は、避難所に物資を受け入れる場合、又は避難所から物資を搬出する場合に、画像読取ユニット１２を介して、名称情報ＭＪと個数情報ＮＪとを物資情報ＪＤとして読み取る。具体的には、読取部１５８は、名称情報ＭＪを示す文字列情報と、個数情報ＮＪを示す数字情報とを、画像読取ユニット１２を介して読み取る。文字列情報及び数字情報は、例えば、配送伝票に記載されている。読取部１５８は、読み取った文字列情報及び数字情報にＯＣＲ（Ｏｐｔｉｃａｌ  Ｃｈａｒａｃｔｅｒ  Ｒｅｃｏｇｎｉｔｉｏｎ）処理を施し、名称情報ＭＪと個数情報ＮＪとを生成する。
【００５４】
第２判定部１５９は、読取部１５８が読み取った名称情報ＭＪが登録されているか否かを判定する。具体的には、第２判定部１５９は、避難所に保管されている物資情報７００として記憶部１５Ｂに記憶されている名称情報７０３のうち、読取部１５８が読み取った名称情報ＭＪと一致する名称情報７０３が有るか否かを判定する。
【００５５】
登録部１５４は、名称情報ＭＪ及び個数情報ＮＪを、避難所が保管している物資の物資情報７００として登録する。具体的には、第２判定部１５９の判定結果に応じて、登録部１５４は、名称情報ＭＪに対応するカテゴリー情報ＣＪ（第１カテゴリー情報７０１及び第２カテゴリー情報７０２）を、名称情報ＭＪと対応付けて登録する。
【００５６】
また、名称情報ＭＪが登録されていると第２判定部１５９が判定した場合には、登録部１５４は、名称情報ＭＪに対応する個数情報ＮＪに基づいて、物資情報７００として記憶部１５Ｂに記憶されている個数情報７０４を更新する。具体的には、避難所に物資を受け入れる場合は、登録部１５４は、名称情報ＭＪに対応する個数情報ＮＪが示す個数を、名称情報ＭＪと同一の名称情報７０３に対応する個数情報７０４が示す個数に加算して個数情報７０４を更新する。避難所から物資を搬出する場合には、登録部１５４は、名称情報ＭＪに対応する個数情報ＮＪが示す個数を、名称情報ＭＪと同一の名称情報７０３に対応する個数情報７０４が示す個数から減算して個数情報７０４を更新する。
【００５７】
また、避難所に物資を受け入れる場合に、読取部１５８が読み取った名称情報ＭＪが登録されていないと第２判定部１５９が判定した時には、登録部１５４は、名称情報ＭＪを物資情報７００に追加する。具体的には、登録部１５４は、ユーザーによるタッチパネル１４１の操作に基づき、物資情報７００として記憶されている名称情報７０３として名称情報ＭＪを追加する。例えば、「菓子パン」を受け付けた場合に、「菓子パン」が物資情報７００として記憶されている名称情報７０３が示す名称に含まれていない場合には、名称情報７０３として「菓子パン」を登録する。
【００５８】
集計部１６０は、物資の名称情報７０３が示す名称毎に、物資の個数情報７０４が示す個数を集計する。具体的には、集計部１６０は、物資情報７００として記憶されている名称情報７０３が示す名称に対応する個数情報７０４が示す個数を記憶部１５Ｂから読み出す。また、名称情報７０３が示す名称として、「実質的に同一の物資を示す複数の名称」が物資情報７００として登録されている場合には、集計部１６０は、複数の名称を１つの名称に変更する。そして、集計部１６０は、複数の名称に対応する個数情報７０４が示す個数を加算して、個数情報７０４を変更する。「実質的に同一の物資を示す複数の名称」は、例えば、「紙おむつ（Ｓサイズ）」と「紙オムツ（Ｓ）」とである。
【００５９】
生成部１６１は、集計部１６０の集計結果を示す物資リストＪＬを生成する。物資リストＪＬは、「リスト」に相当する。具体的には、生成部１６１は、図６に物資情報７００として示した表を生成する。
【００６０】
指示部１６２は、ユーザーからのタッチパネル１４１による操作に基づいて、画像形成ユニット１１に対して、物資リストＪＬを示す画像を用紙Ｐに形成するよう指示する。指示部１６２は、「形成部」の一部に相当する。
【００６１】
以上、図１〜図３、及び図６を参照して説明したように、避難所に物資を受け入れる場合に、読取部１５８が、物資の名称を示す名称情報ＭＪと、物資の個数を示す個数情報ＮＪとを物資情報ＪＤとして読み取る。そして、登録部１５４は、読取部１５８が読み取った物資情報ＪＤを、避難所が保管している物資の物資情報７００として登録する。よって、物資を容易に受け入れることができる。
【００６２】
また、第２判定部１５９は、名称情報ＭＪが登録されているか否かを判定する。そして、第２判定部１５９の判定結果に応じて、登録部１５４は、名称情報ＭＪに対応するカテゴリー情報ＣＪ（第１カテゴリー情報７０１及び第２カテゴリー情報７０２）を、名称情報ＭＪと対応付けて登録する。よって、物資のカテゴリー情報（第１カテゴリー情報７０１及び第２カテゴリー情報７０２）を容易に登録できる。
【００６３】
更に、集計部１６０が、物資の名称を示す名称情報７０３毎に、個数情報７０４が示す個数を集計する。そして、生成部１６１が、集計部１６０の集計結果を示す物資リストＪＬを生成する。更に、指示部１６２が、画像形成ユニット１１に対して、物資リストＪＬを示す画像を用紙Ｐに形成する。したがって、物資の名称毎に物資の個数を集計した物資リストＪＬを示す画像を用紙Ｐに形成できる。
【００６４】
次に、図１〜図７を参照して、制御部１５の処理について説明する。図７は、制御部１５の処理を示すフローチャートである。
まず、ステップＳ１０１において、第１判定部１５１が通常モードＭＡから災害モードＭＢに遷移するか否かを判定する。
第１判定部１５１が通常モードＭＡから災害モードＭＢに遷移しないと判定した場合（ステップＳ１０１でＮＯ）には、処理がステップＳ１０３に進む。そして、ステップＳ１０３において、制御部１５が、通常モードＭＡを継続し、処理がステップＳ１０１に戻る。第１判定部１５１が通常モードＭＡから災害モードＭＢに遷移すると判定した場合（ステップＳ１０１でＹＥＳ）には、処理がステップＳ１０５に進む。
そして、ステップＳ１０５において、第１判定部１５１が、入力されたユーザーＩＤが登録されている管理者のユーザーＩＤと一致し、且つ、入力されたパスワードが登録されている管理者のパスワードと一致しているか否かを判定する。
ユーザーＩＤ又はパスワードが一致しないと第１判定部１５１が判定した場合（ステップＳ１０５でＮＯ）には、処理がステップＳ１０１に戻る。ユーザーＩＤ及びパスワードが一致すると第１判定部１５１が判定した場合（ステップＳ１０５でＹＥＳ）には、処理がステップＳ１０７に進む。
そして、ステップＳ１０７において、遷移部１５２が、通常モードＭＡから災害モードＭＢに遷移し、処理がステップＳ１０９に進む。
【００６５】
次に、ステップＳ１０９において、制御部１５が、ユーザーからのタッチパネル１４１による操作に基づいて、避難者情報を処理するか否かの判定を行う。
避難者情報を処理しないと制御部１５が判定した場合（ステップＳ１０９でＮＯ）には、処理がステップＳ１１３に進む。避難者情報を処理すると制御部１５が判定した場合（ステップＳ１０９でＹＥＳ）には、処理がステップＳ１１１に進む。
そして、ステップＳ１１１において、制御部１５が「避難者処理」を実行し、処理がステップＳ１０９に戻る。「避難者処理」とは、避難者の個人情報ＰＤを登録及び削除する処理を示す。「避難者処理」は、避難者機能に対応する。
【００６６】
ステップＳ１０９でＮＯの場合には、ステップＳ１１３において、制御部１５が、ユーザーからのタッチパネル１４１による操作に基づいて、物資情報を処理するか否かの判定を行う。
物資情報を処理しないと制御部１５が判定した場合（ステップＳ１１３でＮＯ）には、処理がステップＳ１１７に進む。物資情報を処理すると制御部１５が判定した場合（ステップＳ１１３でＹＥＳ）には、処理がステップＳ１１５に進む。
そして、ステップＳ１１５において、制御部１５が「物資処理」を実行し、処理がステップＳ１０９に戻る。「物資処理」とは、支援物資の物資情報ＪＤを登録及び削除する処理を示す。「物資処理」は、物資機能に対応する。
ステップＳ１１３でＮＯの場合には、ステップＳ１１７において、制御部１５が、ユーザーからのタッチパネル１４１による操作に基づいて、検索処理を行うか否かの判定を行う。
検索処理を行わないと制御部１５が判定した場合（ステップＳ１１７でＮＯ）には、処理がステップＳ１０９に戻る。検索処理を行うと制御部１５が判定した場合（ステップＳ１１７でＹＥＳ）には、処理がステップＳ１１９に進む。
そして、ステップＳ１１９において、制御部１５が「検索処理」を実行し、処理がステップＳ１０９に戻る。「検索処理」とは、避難者の個人情報ＰＤ及び物資情報ＪＤを検索する処理を示す。「検索処理」は、検索機能に対応する。
【００６７】
以上、図１〜図７を参照して説明したように、本実施形態では、管理者がユーザー認証を行うことによって、通常モードＭＡから災害モードＭＢに遷移できる。また、災害モードＭＢに遷移すると、ユーザーは、使用権限の制約を受けることなく避難者処理、物資処理、及び検索処理を行うことができる。
【００６８】
次に、図１〜図８を参照して、制御部１５の「避難者処理」について説明する。図８は、制御部１５の「避難者処理」を示すフローチャートである。
まず、ステップＳ２０１において、ユーザーからのタッチパネル１４１による操作に基づいて、制御部１５が避難者の個人情報ＰＤの登録処理を行うか否かを判定する。
避難者の個人情報ＰＤの登録処理を行わないと制御部１５が判定した場合（ステップＳ２０１でＮＯ）には、処理がステップＳ２１１に進む。避難者の個人情報ＰＤの登録処理を行うと制御部１５が判定した場合（ステップＳ２０１でＹＥＳ）には、処理がステップＳ２０３に進む。
そして、ステップＳ２０３において、取得部１５３が、入所者のスマートフォン４に記憶された個人情報ＰＤを取得する。個人情報ＰＤは、スマートフォン４に記憶された個人情報を示す。
【００６９】
次に、ステップＳ２０５において、表示制御部１５７が、個人情報ＰＤをタッチパネル１４１に表示する。
そして、ステップＳ２０７において、登録部１５４が、ユーザーからのタッチパネル１４１による操作に基づいて、個人情報ＰＤを避難者の個人情報として登録するか否かを判定する。
個人情報ＰＤを登録しないと判定した場合（ステップＳ２０７でＮＯ）には、処理が図７に示すステップＳ１０９にリターンする。個人情報ＰＤを登録すると判定した場合（ステップＳ２０７でＹＥＳ）には、処理がステップＳ２０９に進む。
そして、ステップＳ２０９において、登録部１５４が、個人情報ＰＤを避難者の個人情報ＰＤＡとして登録し、処理が図７に示すステップＳ１０９にリターンする。個人情報ＰＤＡは、避難者として登録されている個人情報を示す。
【００７０】
ステップＳ２０１でＮＯの場合には、ステップＳ２１１においてユーザーからのタッチパネル１４１による操作に基づいて、制御部１５が避難者の個人情報ＰＤＡの削除処理を行うか否かを判定する。
個人情報ＰＤＡの削除処理を行わないと制御部１５が判定した場合（ステップＳ２１１でＮＯ）には、処理が図７に示すステップＳ１０９にリターンする。個人情報ＰＤＡの削除処理を行うと制御部１５が判定した場合（ステップＳ２１１でＹＥＳ）には、処理がステップＳ２１３に進む。
そして、ステップＳ２１３において、取得部１５３が、入所者のスマートフォン４に記憶された個人情報ＰＤを取得する。
次に、ステップＳ２１５において、削除部１５５が、個人情報ＰＤが避難者の個人情報ＰＤＡとして登録されているか否かを判定する。
個人情報ＰＤが登録されていないと判定した場合（ステップＳ２１５でＮＯ）には、処理が図７に示すステップＳ１０９にリターンする。個人情報ＰＤが登録されていると判定した場合（ステップＳ２１５でＹＥＳ）には、処理がステップＳ２１７に進む。
そして、ステップＳ２１７において、削除部１５５が、登録されている個人情報ＰＤＡをタッチパネル１４１に表示する。
【００７１】
次に、ステップＳ２１９において、削除部１５５が、ユーザーからのタッチパネル１４１による操作に基づいて、個人情報ＰＤを、避難者の個人情報ＰＤＡから削除するか否かを判定する。
個人情報ＰＤＡを削除しないと削除部１５５が判定した場合（ステップＳ２１９でＮＯ）には、処理が図７に示すステップＳ１０９にリターンする。個人情報ＰＤＡを削除すると削除部１５５が判定した場合（ステップＳ２１９でＹＥＳ）には、処理がステップＳ２２１に進む。
そして、ステップＳ２２１において、削除部１５５が、個人情報ＰＤに対応する個人情報ＰＤＡを、避難者の個人情報ＰＤＡから削除し、処理が図７に示すステップＳ１０９にリターンする。
【００７２】
以上、図１〜図８を参照して説明したように、本実施形態では、入所者のスマートフォン４に記憶された個人情報ＰＤを読み込むことによって、入所者の個人情報ＰＤを、避難者の個人情報ＰＤＡとして容易に登録できる。また、退所者のスマートフォン４に記憶された個人情報ＰＤを読み込むことによって、退所者の個人情報ＰＤに対応する個人情報ＰＤＡを、避難者として登録されている個人情報ＰＤＡから容易に削除できる。
【００７３】
次に、図１〜図９を参照して、制御部１５の「物資処理」について説明する。図８は、制御部１５の「物資処理」を示すフローチャートである。
まず、ステップＳ３０１において、制御部１５が、ユーザーからのタッチパネル１４１による操作に基づいて、物資ＪＢを受け入れるか否かを判定する。
物資ＪＢを受け入れないと制御部１５が判定した場合（ステップＳ３０１でＮＯ）には、処理がステップＳ３１３に進む。物資ＪＢを受け入れると制御部１５が判定した場合（ステップＳ３０１でＹＥＳ）には、処理がステップＳ３０３に進む。
そして、ステップＳ３０３において、読取部１５８が、画像読取ユニット１２を介して、配送伝票に記載されている名称情報ＭＪと個数情報ＮＪとを物資情報ＪＤとして読み取る。
次に、ステップＳ３０５において、第２判定部１５９が、名称情報ＭＪが登録されているか否かを判定する。
名称情報ＭＪが登録されていないと第２判定部１５９が判定した場合（ステップＳ３０５でＮＯ）には、処理がステップＳ３０９に進む。名称情報ＭＪが登録されていると第２判定部１５９が判定した場合（ステップＳ３０５でＹＥＳ）には、処理がステップＳ３０７に進む。
そして、ステップＳ３０７において、登録部１５４は、名称情報ＭＪに対応するカテゴリー情報ＣＪを取得し、処理がステップＳ３１１に進む。
一方、ステップＳ３０５でＮＯの場合には、ステップＳ３０９において、登録部１５４は、ユーザーによるタッチパネル１４１の操作に基づき、名称情報ＭＪを登録する。
そして、ステップＳ３１１において、登録部１５４は、名称情報ＭＪ、個数情報ＮＪ、及びカテゴリー情報ＣＪを登録し、処理がステップＳ３２１に進む。
【００７４】
ステップＳ３０１でＮＯの場合には、ステップＳ３１３において、制御部１５が、ユーザーからのタッチパネル１４１による操作に基づいて、物資ＪＢを消費、又は搬出するか否かを判定する。物資ＪＢを「消費する」とは、避難所の避難者に配布することを示す。
物資ＪＢを消費、又は搬出しないと制御部１５が判定した場合（ステップＳ３１３でＮＯ）には、処理が図７に示すステップＳ１０９にリターンする。物資ＪＢを消費、又は搬出すると制御部１５が判定した場合（ステップＳ３１３でＹＥＳ）には、処理がステップＳ３１５に進む。
そして、ステップＳ３１５において、読取部１５８が、画像読取ユニット１２を介して、配送伝票に記載されている名称情報ＭＪと個数情報ＮＪとを読み取る。
次に、ステップＳ３１７において、登録部１５４が、名称情報ＭＪに対応する物資情報ＪＤをタッチパネル１４１に表示する。
そして、ステップＳ３１９において、登録部１５４が、ユーザーからのタッチパネル１４１による操作に基づいて、名称情報ＭＪ及び個数情報ＮＪに対応する物資情報ＪＤを更新又は削除するか否かを判定する。
名称情報ＭＪ及び個数情報ＮＪに対応する物資情報ＪＤを更新又は削除しないと登録部１５４が判定した場合（ステップＳ３１９でＮＯ）には、処理が図７に示すステップＳ１０９にリターンする。名称情報ＭＪ及び個数情報ＮＪに対応する物資情報ＪＤを更新又は削除すると登録部１５４が判定した場合（ステップＳ３１９でＹＥＳ）には、処理がステップＳ３２１に進む。
【００７５】
次に、ステップＳ３２１において、集計部１６０が、名称情報ＭＪに対応する物資の避難所に保管されている合計個数情報ＮＪＡを更新する。具体的には、名称情報ＭＪに対応する物資を受け入れた場合には、合計個数情報ＮＪＡを個数情報ＮＪが示す個数だけ増加する。名称情報ＭＪに対応する物資を消費又は搬出した場合には、合計個数情報ＮＪＡを個数情報ＮＪが示す個数だけ減少する。
そして、ステップＳ３２３において、生成部１６１は、物資リストＪＬを生成する。
次に、ステップＳ３２５において、指示部１６２が、ユーザーからのタッチパネル１４１による操作に基づいて、物資リストＪＬを印刷するか否かの判定を行う。
物資リストＪＬを印刷しないと指示部１６２が判定した場合（ステップＳ３２５でＮＯ）には、処理が図７に示すステップＳ１０９にリターンする。物資リストＪＬを印刷すると指示部１６２が判定した場合（ステップＳ３２５でＹＥＳ）には、処理がステップＳ３２７に進む。
そして、ステップＳ３２７において、指示部１６２が、画像形成ユニット１１を介して、物資リストＪＬを印刷して、処理が図７に示すステップＳ１０９にリターンする。
【００７６】
以上、図１〜図９を参照して説明したように、本実施形態では、避難所に物資を受け入れる場合、又は避難所から物資を搬出する場合に、読取部１５８が、名称情報ＭＪと個数情報ＮＪとを読み取るため、物資情報ＪＤを容易に更新できる。また、集計部１６０が、物資の名称情報７０３が示す名称毎に、物資の個数情報７０４が示す個数を集計し、生成部１６１が、集計部１６０の集計結果を示す物資リストＪＬを生成するため、物資リストＪＬを容易に生成できる。
【００７７】
次に、図１〜図１１を参照して、制御部１５の「検索処理」について説明する。図１０及び図１１は、制御部１５の「検索処理」を示すフローチャートである。
まず、図１０に示すステップＳ４０１において、検索部１５６が、ユーザーからのタッチパネル１４１による操作に基づいて、家族の避難場所を検索するか否かを判定する。
家族の避難場所を検索しないと検索部１５６が判定した場合（ステップＳ４０１でＮＯ）には、処理が図１１に示すステップＳ４１７に進む。家族の避難場所を検索すると検索部１５６が判定した場合（ステップＳ４０１でＹＥＳ）には、処理がステップＳ４０３に進む。
そして、ステップＳ４０３において、取得部１５３が、入所者のスマートフォン４に記憶された個人情報ＰＤを取得する。
次に、ステップＳ４０５において、検索部１５６が、ユーザーからのタッチパネル１４１による操作に基づいて、検索対象者を選択する。具体的には、検索部１５６が、個人情報ＰＤに含まれる家族構成をタッチパネル１４１に表示する。そして、検索部１５６が、ユーザーからのタッチパネル１４１による操作に基づいて、家族構成に含まれる家族の中から検索対象者を選択する。
【００７８】
そして、検索部１５６が、検索対象者が避難者として登録されているか否かを判定する。具体的には、検索部１５６は、検索対象者の氏名及び年齢が、いずれかの避難者の個人情報ＰＤに含まれる氏名及び年齢とそれぞれ一致するか否かを判定する。
避難者として登録されていると検索部１５６が判定した場合（ステップＳ４０７でＹＥＳ）には、処理がステップＳ４１３に進む。避難者として登録されていないと検索部１５６が判定した場合（ステップＳ４０７でＮＯ）には、処理がステップＳ４０９に進む。
そして、ステップＳ４０９において、検索部１５６が、サーバー装置３に対して、検索対象者が、他のいずれかの避難所に避難している避難者として登録されているか否かを問い合わせる。
次に、ステップＳ４１１において、検索部１５６が、サーバー装置３からの回答に基づいて、検索対象者が、他のいずれかの避難所に避難している避難者として登録されているか否かを判定する。
他のいずれかの避難所に避難している避難者として登録されていないと検索部１５６が判定した場合（ステップＳ４１１でＮＯ）には、処理がステップＳ４１５に進む。他のいずれかの避難所に避難している避難者として登録されていると検索部１５６が判定した場合（ステップＳ４１１でＹＥＳ）には、処理がステップＳ４１３に進む。
そして、ステップＳ４１３において、表示制御部１５７は、検索対象者が避難している避難所の場所をタッチパネル１４１に表示して、処理が図７に示すステップＳ１０９にリターンする。
また、ステップＳ４１１でＮＯの場合には、ステップＳ４１５において、表示制御部１５７は、検索対象者に該当する者が見つからない旨をタッチパネル１４１に表示して、処理が図７に示すステップＳ１０９にリターンする。
【００７９】
ステップＳ４０１でＮＯの場合には、図１１に示すステップＳ４１７において、検索部１５６が、ユーザーからのタッチパネル１４１による操作に基づいて、物資ＪＢを検索するか否かを判定する。
物資ＪＢを検索しないと検索部１５６が判定した場合（ステップＳ４１７でＮＯ）には、処理が図７に示すステップＳ１０９にリターンする。物資ＪＢを検索すると検索部１５６が判定した場合（ステップＳ４１７でＹＥＳ）には、処理がステップＳ４１９に進む。
そして、ステップＳ４１９において、検索部１５６が、ユーザーからのタッチパネル１４１による操作に基づいて、物資情報ＪＤを検索するか否かを判定する。
物資情報ＪＤを検索しないと検索部１５６が判定した場合（ステップＳ４１９でＮＯ）には、処理がステップＳ４２９に進む。物資情報ＪＤを検索すると検索部１５６が判定した場合（ステップＳ４１９でＹＥＳ）には、処理がステップＳ４２１に進む。
【００８０】
そして、ステップＳ４２１において、検索部１５６が、ユーザーからのタッチパネル１４１による操作に基づいて、名称情報ＭＪを受け付ける。
次に、ステップＳ４２３において、検索部１５６が、物資情報ＪＤから名称情報ＭＪに対応するカテゴリー情報ＣＪ及び個数情報ＮＪを検索する。そして、表示制御部１５７は、名称情報ＭＪに対応するカテゴリー情報ＣＪ及び個数情報ＮＪをタッチパネル１４１に表示する。
そして、ステップＳ４２５において、指示部１６２は、ユーザーからのタッチパネル１４１による操作に基づいて、印刷するか否かを判定する。
印刷しないと指示部１６２が判定した場合（ステップＳ４２５でＮＯ）には、処理が図７に示すステップＳ１０９にリターンする。印刷すると指示部１６２が判定した場合（ステップＳ４２５でＹＥＳ）には、処理がステップＳ４２７に進む。
そして、ステップＳ４２７において、指示部１６２が、名称情報ＭＪに対応する名称、カテゴリー情報ＣＪに対応するカテゴリー、及び個数情報ＮＪに対応する個数を印刷し、処理が図７に示すステップＳ１０９にリターンする。
【００８１】
ステップＳ４１９でＮＯの場合には、ステップＳ４２９において、ユーザーからのタッチパネル１４１による操作に基づいて、検索部１５６が、不足物資情報ＪＤＢを検索するか否かを判定する。不足物資情報ＪＤＢは、避難者に必要な物資のうち、避難所に不足している物資ＪＢを示す情報である。不足物資情報ＪＤＢとしては、名称情報ＭＪに対応付けて、カテゴリー情報ＣＪ、搬入予定月日情報ＤＪ、及び搬入個数情報ＮＪ１が登録されている。
また、不足物資情報ＪＤＢとしては、例えば、入所者の年齢等に基づき乳幼児の人数を判断して、備蓄されている紙オムツの数量等の情報に基づき不足数を算出する等して、避難所に不足している物資ＪＢが登録されている。更に、不足物資情報ＪＤＢとして、入所者のアレルギー情報等に基づいて、食品の不足数が登録されていてもよい。
不足物資情報ＪＤＢを検索しないと判定した場合（ステップＳ４２９でＮＯ）には、処理が図７に示すステップＳ１０９にリターンする。不足物資情報ＪＤＢを検索すると判定した場合（ステップＳ４２９でＹＥＳ）には、処理がステップＳ４３１に進む。
そして、ステップＳ４３１において、検索部１５６が、ユーザーからのタッチパネル１４１による操作に基づいて、名称情報ＭＪを受け付ける。
次に、ステップＳ４３３において、検索部１５６が、不足物資情報ＪＤＢから名称情報ＭＪに対応するカテゴリー情報ＣＪ、搬入予定月日情報ＤＪ及び搬入個数情報ＮＪ１を検索する。そして、表示制御部１５７は、名称情報ＭＪに対応するカテゴリー情報ＣＪ、搬入予定月日情報ＤＪ及び搬入個数情報ＮＪ１をタッチパネル１４１に表示する。
そして、ステップＳ４３５において、指示部１６２は、ユーザーからのタッチパネル１４１による操作に基づいて、印刷するか否かを判定する。
印刷しないと指示部１６２が判定した場合（ステップＳ４３５でＮＯ）には、処理が図７に示すステップＳ１０９にリターンする。印刷すると指示部１６２が判定した場合（ステップＳ４３５でＹＥＳ）には、処理がステップＳ４３７に進む。
そして、ステップＳ４３７において、指示部１６２が、名称情報ＭＪに対応する名称、カテゴリー情報ＣＪに対応するカテゴリー、搬入予定月日情報ＤＪに対応する搬入予定月日、及び搬入個数情報ＮＪ１に対応する搬入個数を印刷し、処理が図７に示すステップＳ１０９にリターンする。
【００８２】
以上、図１〜図１１を参照して説明したように、本実施形態では、検索部１５６が、避難者の個人情報ＰＤを検索する。そして、表示制御部１５７が、検索部１５６の検索結果をタッチパネル１４１に表示する。よって、ユーザーは、避難者の個人情報ＰＤを容易に確認できる。
【００８３】
例えば、検索部１５６が、避難者の家族の避難場所を検索する。そして、表示制御部１５７が、検索部１５６の検索結果をタッチパネル１４１に表示する。よって、ユーザーは避難者の家族の避難場所を容易に確認できる。
【００８４】
また、検索部１５６が、避難所が保管している物資ＪＢの名称情報ＭＪ及び個数情報ＮＪを含む物資情報ＪＤを検索する。そして、表示制御部１５７が、検索部１５６の検索結果をタッチパネル１４１に表示する。よって、ユーザーは避難所が保管している物資ＪＢの物資情報ＪＤを容易に確認できる。
【００８５】
例えば、検索部１５６が、名称情報ＭＪに対応するカテゴリー情報ＣＪ及び個数情報ＮＪを検索する。そして、表示制御部１５７が、検索部１５６の検索結果をタッチパネル１４１に表示する。よって、ユーザーは名称情報ＭＪに対応するカテゴリー情報ＣＪ及び個数情報ＮＪを容易に確認できる。
【００８６】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（８））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００８７】
（１）図１を参照して説明したように、本実施形態では、複数の画像形成装置１がインターネット２を介してサーバー装置３と通信するが、本発明はこれに限定されない。複数の画像形成装置１がサーバー装置３と通信可能に接続されていればよい。例えば、複数の画像形成装置１がＬＡＮ（Ｌｏｃａｌ  Ａｒｅａ  Ｎｅｔｗｏｒｋ）を介してサーバー装置３と通信してもよい。また、例えば、複数の画像形成装置１がＷＡＮ（Ｗｉｄｅ  Ａｒｅａ  Ｎｅｔｗｏｒｋ）を介してサーバー装置３と通信してもよい。
【００８８】
（２）図１を参照して説明したように、本実施形態では、携帯端末装置がスマートフォン４であるが、本発明はこれに限定されない。携帯端末装置は、通信機能及び表示機能の少なくとも一方を備えていればよい。例えば、携帯端末装置は、タブレット型の端末装置でもよい。また、例えば、携帯端末装置は、携帯電話でもよい。
【００８９】
（３）図１及び図２を参照して説明したように、画像形成装置１が複合機であるが、本発明はこれに限定されない。画像形成装置１が画像形成部１１３を備えればよい。例えば、画像形成装置１が複写機である形態でもよい。
【００９０】
（４）図１〜図３を参照して説明したように、本実施形態では、「特定機能」が、避難者機能、物資機能、及び検索機能を含むが、本発明はこれに限定されない。「特定機能」が、避難者機能、物資機能、及び検索機能の少なくとも１つの機能を含めばよい。例えば、「特定機能」が、避難者機能のみを含む形態でもよい。また、例えば、「特定機能」が、避難者機能、物資機能、及び検索機能以外の機能を更に含む形態でもよい。
【００９１】
（５）図１〜図４を参照して説明したように、本実施形態では、管理者が画像形成装置１の管理者であるが、本発明はこれに限定されない。管理者が「通常モード」から「災害モード」に遷移するか否かの判断を行う権限を有する者であればよい。例えば、管理者が画像形成装置１の配置される避難所の責任者である形態でもよい。
【００９２】
（６）図１〜図３、及び図５を参照して説明したように、本実施形態では、取得部１５３が、画像読取ユニット１２を介して、入所者、又は退所者の個人情報６００を示す２次元コードを読み取るが、本発明はこれに限定されない。取得部１５３が、スマートフォン４に記憶された個人情報６００を取得する形態であればよい。例えば、取得部１５３が、スマートフォン４との間での通信によって、個人情報６００を取得する形態でもよい。また、例えば、入所者、又は退所者が個人情報６００を示す２次元コードを用紙に印刷しておき、取得部１５３が、画像読取ユニット１２を介して、用紙に印刷された２次元コードを読み取る形態でもよい。
【００９３】
（７）図１〜図３、及び図６を参照して説明したように、本実施形態では、読取部１５８が、配送伝票に記載されている名称情報ＭＪを示す文字列情報と個数情報ＮＪを示す数字情報とを読み取るが、本発明はこれに限定されない。読取部１５８が、名称情報ＭＪと個数情報ＮＪとを読み取ればよい。例えば、読取部１５８が、画像読取ユニット１２を介して、ユーザーのメモに記載された名称及び個数から名称情報ＭＪと個数情報ＮＪとを生成する形態でもよい。
【００９４】
（８）図１〜図３、及び図６を参照して説明したように、本実施形態では集計部１６０が、物資の名称情報７０３が示す名称毎に、物資の個数情報７０４が示す個数を集計するが、本発明はこれに限定されない。集計部１６０が、物資の種類又は名称毎に、物資の個数を集計する形態であればよい。例えば、集計部１６０が、第２カテゴリー情報７０２が示す物資の種類毎に、物資の個数を集計する形態でもよい。
【産業上の利用可能性】
【００９５】
本発明は、画像形成装置、及び画像形成システムに関するものであり、産業上の利用可能性を有する。
【符号の説明】
【００９６】
１００    画像形成システム
１    画像形成装置
１１    画像形成ユニット
１１３    画像形成部（形成部の一部）
１２    画像読取ユニット
１３    原稿搬送ユニット
１４    操作表示部
１４１    タッチパネル（表示部）
１５    制御部
１５１    第１判定部
１５２    遷移部
１５３    取得部
１５４    登録部
１５５    削除部
１５６    検索部
１５７    表示制御部
１５８    読取部
１５９    第２判定部
１６０    集計部
１６１    生成部
１６２    指示部（形成部の一部）
３    サーバー装置
４    スマートフォン（携帯端末装置）
【図１】
2018170582.tif 000003
【図２】
2018170582.tif 000004
【図３】
2018170582.tif 000005
【図４】
2018170582.tif 000006
【図５】
2018170582.tif 000007
【図６】
2018170582.tif 000008
【図７】
2018170582.tif 000009
【図８】
2018170582.tif 000010
【図９】
2018170582.tif 000011
【図１０】
2018170582.tif 000012
【図１１】
2018170582.tif 000013